(57)【要約】【課題】  遠隔地に設置された信号機の駆動供給電圧の調整時間の短縮及びその作業人員の削減を実現する電圧設定装置及びその設定方法を提供する。【解決手段】  電源供給側の信号灯トランス２と、遠隔地に設置された信号機４とはケーブル５によって接続される。信号灯トランス２を電圧設定装置３の入力部８、８'に、ケーブル５を電圧設定装置３の出力部９、９'に接続する。入力部８と出力部９との間に可変抵抗器２４と交流電流計２３を直列に接続する。また、出力部９と９'間の電圧を測定する電圧計２２を接続する。ケーブル５の抵抗による電圧降下分を考慮して、信号機４を駆動できる電圧を信号灯トランス２から供給する。可変抵抗器２４の抵抗値を徐々に大きくし、電圧計２２の表示電圧値を小さくして行く。交流電流計２４の表示電流値が信号機４の定格電流値以下に減少するとき、即ち信号機４を駆動できなくなる電圧値を測定し、この電圧値に近い信号灯トランス２のタップを選択する。【選択図】    図３
2005231559.tif 000002
【特許請求の範囲】
【請求項１】
少なくとも、出力電圧が相違する複数のタップを有した信号灯用のトランスと、該トランスの出力電圧により駆動される該トランスから遠隔地に設置されたＬＥＤ信号機と、前記トランスと前記ＬＥＤ信号機とを接続するケーブルとから構成される信号機制御システムの、前記ＬＥＤ信号機を駆動するための前記トランスの出力電圧を決定する電圧設定装置において、
前記トランスのいずれかのタップに接続され、その出力電圧が入力される入力端子と、
前記ケーブルの前記トランス側の端部に接続される出力端子と、
前記入力端子に接続される可変抵抗器と、
該可変抵抗器の抵抗値を変化させるためのダイアルと、
前記可変抵抗器と前記出力端子との間に接続される電流計と、
該電流計に流れる電流値を表示する電流表示部と、
前記出力端子の電圧値を測定する電圧計と、
該電圧計で測定される電圧値を表示する電圧表示部とを備え、
前記ハンドルにより前記可変抵抗器の抵抗値を変化させて、前記ＬＥＤ信号機を駆動するために必要な電流値を前記電流表示部に表示される電流値によって設定し、前記電圧表示部に表示される電圧値から前記トランスの出力電圧を決定することを特徴とする電圧設定装置。
【請求項２】
信号機の駆動電源の送り側に、出力電圧が相違する複数のタップを有した信号灯用のトランスを設け、該駆動電源の送り側から遠隔した場所にＬＥＤ信号機を設置し、前記トランスのいずれかのタップと前記信号機とをケーブルを介して接続した信号機制御システムの、前記信号機を駆動するための前記トランスの出力電圧を設定する電圧設定方法であって、
前記トランスのいずれかのタップと該タップに接続される前記ケーブルとの間に、可変抵抗器と電流計を接続すると共に、前記タップに接続される前記ケーブルの端部に加わる電圧値を測定するための電圧計を接続し、
前記可変抵抗器の抵抗値を変化させて、前記電圧計に表示される電圧値を上昇させ、前記電流計に表示される前記トランスから前記ケーブルを介して前記信号機へ流れる電流量を測定して行き、前記電流計の電流表示値が前記信号機の定格電流値に達したとき、
又は、前記可変抵抗器の抵抗値を変化させて、前記電圧計に表示される電圧値を下降させ、前記電流計に表示される前記トランスから前記ケーブルを介して前記信号機へ流れる電流量を測定して行き、前記電流計の電流表示値が前記信号機の定格電流値よりも小さくなる以前近傍の前記電圧計に表示された電圧値を測定し、
該電圧値を前記信号機を駆動するために必要な前記トランスの出力電圧として、前記ケーブルを接続するトランスのタップを決定することを特徴とする電圧設定方法。
【発明の詳細な説明】
【技術分野】
【０００１】
本発明は、電源の供給場所からケーブルを介して遠隔地に設置された鉄道用信号機の駆動電源、特に、ＬＥＤ信号機を駆動するための電源の電圧設定装置及びその設定方法に関するものである。
【背景技術】
【０００２】
従来の鉄道用信号灯の電圧調整では、少なくとも電源の送り側である機器室とその電源の受け側である信号機設置場所に作業員を配置し、機器室の作業員が信号灯用トランスのタップに、機器室と信号機との間に配設されるケーブルを接続し、信号機側の作業員が機器室から送られてきた電圧を測定し、その電圧が信号機を駆動させるための定格電圧に達していない場合には、機器室側の作業員に無線で連絡し、接続するタップを変更してもらい、再度、電圧を測定するといった作業内容を繰返し行い、最適の信号灯トランスのタップを決定していた。
【０００３】
これは鉄道用の信号灯が、駆動電源の設置されている機器室からケーブルを介して遠隔地に設置されるが、接続されるケーブルがある程度の抵抗値（例えば、ケーブル１Ｋｍで約２０Ωの抵抗値）を有するので、その抵抗分だけ電圧降下を生じるからである。つまり、信号灯を駆動するための定格電圧を機器室において出力したとしても、信号灯まで達したときにはケーブルの抵抗による電圧降下のため、信号機側では上記定格電圧を得ることはできないからである。そこで、遠隔地に設置された信号灯を駆動させるためには、この電圧降下分を考慮した電圧を機器室側から出力してやることが必要であり、この電圧降下の大きさは使用されるケーブルの長さによって相違するため、設置されるそれぞれの信号機側において定格電圧が供給されているかどうか測定する必要がある。
【０００４】
しかし、このような電圧調整方法では、機器室で信号灯トランスの出力電圧を変える場合、即ち、使用するタップを変更する場合に、一旦、装置の電源を落としてからタップ接続を変更しなければならないため、長い調整時間が必要となり、その作業効率の改善が望まれていた。そこで、本出願人は、電圧調整の簡易化を図るため、信号灯トランスのタップ切替をロータリースイッチによって行なうことができる信号灯トランスを開発した。この信号灯トランスは、２段階の調整が可能であり、予めケーブルの抵抗による電圧降下分を考慮した出力電圧に設定する粗調整機能、ダイヤルの調整により１Ｖ毎の出力電圧を設定することができる微調整機能を有している。
【０００５】
【非特許文献１】「信号設備設計施行標準（基本編）」東日本旅客鉄道株式会社  設備部・建設工事部  平成１４年６月
【発明の開示】
【発明が解決しようとする課題】
【０００６】
しかしながら、特許文献１の発明では、電圧調整の際のケーブルとタップとの接続作業時間の効率を向上させることはできるものの、信号機に供給される電圧は依然として信号機側の作業者が測定し、また、その測定値を無線で機器室側の作業者に連絡し信号灯トランスの出力電圧を調整しなければならず、作業時間の短縮のみならず作業人員の削減においても更なる効率の改善が望まれていた。
【０００７】
そこで、本願発明はこのような事情に鑑みてなされたものであり、信号機を点灯するための電源供給側の電圧調整時間の短縮およびその作業人員の削減を実現することができる、電圧設定装置およびその設定方法を提供することを目的とするものである。
【課題を解決するための手段】
【０００８】
上記課題を解決するために、請求項１に係る電圧設定装置の発明は、少なくとも、出力電圧が相違する複数のタップを有した信号灯用のトランスと、該トランスの出力電圧により駆動される該トランスから遠隔地に設置されたＬＥＤ信号機と、前記トランスと前記ＬＥＤ信号機とを接続するケーブルとから構成される信号機制御システムの、前記ＬＥＤ信号機を駆動するための前記トランスの出力電圧を決定する電圧設定装置において、前記トランスのいずれかのタップに接続され、その出力電圧が入力される入力端子と、前記ケーブルの前記トランス側の端部に接続される出力端子と、前記入力端子に接続される可変抵抗器と、該可変抵抗器の抵抗値を変化させるためのダイアルと、前記可変抵抗器と前記出力端子との間に接続される電流計と、該電流計に流れる電流値を表示する電流表示部と、前記出力端子の電圧値を測定する電圧計と、該電圧計で測定される電圧値を表示する電圧表示部とを備え、前記ハンドルにより前記可変抵抗器の抵抗値を変化させて、前記ＬＥＤ信号機を駆動するために必要な電流値を前記電流表示部に表示される電流値によって設定し、前記電圧表示部に表示される電圧値から前記トランスの出力電圧を決定することを特徴とするものである。
【０００９】
また、上記課題を解決するために、請求項２に係る電圧設定方法の発明は、信号機の駆動電源の送り側に、出力電圧が相違する複数のタップを有した信号灯用のトランスを設け、該駆動電源の送り側から遠隔した場所にＬＥＤ信号機を設置し、前記トランスのいずれかのタップと前記信号機とをケーブルを介して接続した信号機制御システムの、前記信号機を駆動するための前記トランスの出力電圧を設定する電圧設定方法であって、前記トランスのいずれかのタップと該タップに接続される前記ケーブルとの間に、可変抵抗器と電流計を接続すると共に、前記タップに接続される前記ケーブルの端部に加わる電圧値を測定するための電圧計を接続し、前記可変抵抗器の抵抗値を変化させて、前記電圧計に表示される電圧値を上昇させ、前記電流計に表示される前記トランスから前記ケーブルを介して前記信号機へ流れる電流量を測定して行き、前記電流計の電流表示値が前記信号機の定格電流値に達したとき、又は、前記可変抵抗器の抵抗値を変化させて、前記電圧計に表示される電圧値を下降させ、前記電流計に表示される前記トランスから前記ケーブルを介して前記信号機へ流れる電流量を測定して行き、前記電流計の電流表示値が前記信号機の定格電流値よりも小さくなる以前近傍の前記電圧計に表示された電圧値を測定し、該電圧値を前記信号機を駆動するために必要な前記トランスの出力電圧として、前記ケーブルを接続するトランスのタップを決定することを特徴とするものである。
【００１０】
上記構成において、電源の供給元である機器室に配置された作業員が、電圧設定装置に表示される電流値を、信号機を駆動するための所定の定格電流値に、電圧設定装置に設けられたダイヤルによって設定するだけで、ケーブルを介して遠隔地に設置された信号機を駆動させるための機器室側の出力電圧を設定することができる。
【発明の効果】
【００１１】
本発明に係る電圧設定装置およびその設定方法によれば、信号機室において電圧設定装置に表示される電流値を信号機の定格電流値に設定するだけで、ケーブルを介して遠隔地に設置される信号機へ実際に供給される電圧を、信号機の定格電圧に自動的に調整することができるので、信号機の電圧設定時間を大幅に短縮することができる。また、必要な電圧が供給されているか否かを信号機側で作業員が実際に測定する必要がなく、信号機の電圧設定に必要な作業人員を削減することができる。
【発明を実施するための最良の形態】
【００１２】
以下、本発明に係る電圧設定装置の一実施の形態を添付図面に基づいて説明する。
図１は、信号灯用のトランスと、このトランスの設けられている場所から遠隔地に設置されたＬＥＤ信号機と、トランスとＬＥＤ信号機とを接続するケーブルとから構成される信号機制御システムにおいて、ＬＥＤ信号機を駆動するためのトランスの出力電圧を電圧設定装置によって設定するようすを模式的に表わした図である。このように電源の設置されている場所からケーブルを介して遠隔地に設置される信号機としては、例えば、線路の脇に設置される鉄道用の色灯信号機が挙げられる。
【００１３】
電源の送り側である機器室１には、信号機４への電源の供給源となる信号灯トランス２が設けられている。この信号灯トランス２の二次側には、複数のタップが設けられており、それぞれのタップからは異なる電圧が出力されるように設定されている。
信号機４は、機器室１から離れた場所、例えば、機器室１から数百メートル、あるいは数キロメートル離れた場所に設置されている。信号機４としては、ＬＥＤからなる信号機が使用されており、例えば、赤色（Ｒ）４ａ、黄色（Ｙ）４ｂ、緑色（Ｇ）４ｃ等のＬＥＤ信号灯から構成されている。信号機４は、信号灯トランス２の出力電圧によって駆動される。
【００１４】
信号灯トランス２と信号機４とはケーブル５によって接続されている。さらに言うと信号灯トランス２と各信号灯４ａ、４ｂ、４ｃとは、それぞれ異なるケーブル５ａ、５ｂ、５ｃによって接続されている。即ち、信号灯トランス２の一つのタップに信号機４を構成する各信号灯４ａ、４ｂ、４ｃが並列に接続されている。
【００１５】
このケーブル５（５ａ、５ｂ、５ｃ）は、所定のケーブル抵抗、例えば、１８〜２０〔Ω／Ｋｍ〕の抵抗値を有している。従って、信号機４の設置されている場所によって、即ち、信号灯トランス２と信号機４とを接続するケーブル５の長さによってケーブル５の有する抵抗値がそれぞれ相違する。このため、各信号機４を駆動させるに際し、ケーブル５による電圧降下分もケーブル５の長さによって相違するので、各信号機４を駆動させるために必要な信号灯トランス２の出力電圧もケーブル５の長さによって相違する。
【００１６】
信号機４を駆動するための信号灯トランス２の出力電圧を設定する電圧設定装置３は、信号灯トランス２が設置されている機器室１側において使用される。電圧設定装置３は、信号灯トランス２の出力電圧を設定するに際し、信号灯トランス２のタップとケーブル５の信号灯トランス２側の端部との間にケーブル線６、７を介して接続される。作業員１０は、機器室１側において電圧設定装置３を操作し電圧の設定を行なうことができる。また、電圧設定装置３は一人の作業員によって持ち運びが容易な大きさに設計されており、機器室１に持ち込むことによって一人の作業員により電圧の設定を行なうことが可能である。
【００１７】
図２に電圧設定装置３の斜視図を示す。
信号機４の駆動電源電圧の送り側である信号灯トランス２のタップに接続されたケーブル線６が、電圧設定装置３の電源側となる入力部８、８'に接続される。信号機４に接続されたケーブル５の端部に接続されているケーブル線７が、電圧設定装置３の信号機側となる出力部９、９'に接続される。
【００１８】
電圧設定装置３には電圧表示部１２が設けられており、この電圧表示部１２には、電圧設定装置３から信号機４へ送られる電圧、即ち、信号機４に接続されたケーブル５の端部に加えられる出力部９、９'の電圧が、送り電圧として表示される。また、電圧設定装置３には電流表示部１３が設けられており、この電流表示部１３には、電圧設定装置３内の回路を流れる電流、即ち、信号機４を流れる電流が、回線電流として表示される。また、電圧設定装置３には電圧調整ダイアル１４が設けられており、この電圧調整ダイアル１４を回転させることにより、電圧設定装置３内の回路中に設けられている可変抵抗値の値を変化させて、電圧表示部１２及び電流表示部１３に表示される電圧値及び電流値を変化させることができる（詳しくは後述する）。また、電圧設定装置３の電源をオン／オフさせるための電源スイッチ１１が設けられている。
【００１９】
図３に電圧設定装置３の回路図の一形態を示す。
入力部８に可変抵抗器２４が直列に接続されている。可変抵抗器２４としては、例えば、電力用のホーロー可変抵抗器が使用される。電圧調整ダイアル１４を回転させると、この可変抵抗器２４の抵抗値が変化する。さらに可変抵抗器２４に交流電流計２３が接続されている。可変抵抗器２４の抵抗値の変化に伴ない、信号機４に流れる電流、即ち、この交流電流計２３に流れる電流値が電流表示部１３に表示される。入力部８に接続された可変抵抗器２４の後段部と、電圧設定装置３のもう一方の入力部８'との間、即ち、出力部９−９'間の電圧を測定する直流電圧計２２が接続されている。詳しくは、出力部９−９'間のＡＣ電圧を整流計２１により整流し、その電圧を直流電圧計２２によって測定している。この直流電圧計２２によって測定された電圧値が電圧表示部１２に表示される。
【００２０】
また、ＡＣ−ＤＣコンバータ２０が設けられており、電源スイッチ１１がオンされてＡＣ１００ＶがＡＣ−ＤＣコンバータ２０に入力されると、二次側からＤＣ電圧が出力され、その電圧が直流電圧計２２及び交流電流計２３の電源電圧として供給される。
なお、電圧を測定する手段としては上記形態に限定されず、整流計２１と直流電圧計２２の替わりに、出力部７−７'間に交流電圧計を接続し、その測定値を電圧表示部１２に表示させるようにしてもよい。
【００２１】
図３に示す回路構成を有した電圧設定装置３による、信号灯トランス２の出力電圧の設定方法について説明する。
電圧設定装置３の電源スイッチ１１をオンにする。電圧設定装置３の入力部８、８'に信号灯トランス２の二次側のタップをケーブル線６を介して接続する。また、電圧設定装置３の出力部９、９'に信号機４に接続されたケーブル５の信号機４とは逆側の端部をケーブル７を介して接続する。このとき接続する信号灯トランス２のタップは、設定する信号機４に接続されるケーブル５の長さから、ケーブル５を含む信号機４側へ供給すべきおおよその必要電圧値を予想し、その予想電圧値よりも高い電圧を出力するタップを選択して接続する。また、可変抵抗器２４の抵抗値は、電圧調整ダイアル１４の操作によって小さい値に設定しておく。
【００２２】
入力部８と出力部９との間、即ち、信号灯トランス２のタップとケーブル５の端部との間には、可変抵抗器２４と交流電流計２３が直列に接続され、出力部９と９'間には直流電圧計２２が接続されている。従って、直流電圧計２２には、入力部８と８'間に加えられた電圧から可変抵抗器２４の抵抗によって降下する電圧分を引いた電圧値が表示される。上記のように可変抵抗器２４の抵抗値は、初めに小さい値に設定されているため、その抵抗による可変抵抗器２４の電圧降下分は小さい。従って、直流電圧計２２には、入力部８と８'間に加えられた電圧と略同じ電圧値が表示される。
【００２３】
そして、この電圧値がケーブル５に接続された信号機４を駆動するために必要な電圧値以上であれば、即ち、ケーブル５の接続されていない信号機４のみを駆動するために必要な定格電圧値と、ケーブル５の有する抵抗によって降下する電圧値とを足し合わせた電圧値以上であれば、信号機４は駆動し点灯する。また、直流電圧計２２の表示電圧が、上記足し合わせた電圧値以上である場合には、交流電流計２３には信号機４に流れる信号機４の定格電流値が表示される。なお、電圧設定装置３の送り電圧の表示部１２には、この直流電圧計２２の電圧値が表示され、回線電流の表示部１３には、この交流電流計２３の電流値が表示される。
【００２４】
電圧調整ダイアル１４を回転させ可変抵抗器２４の抵抗値を徐々に大きくしていくと、その抵抗による可変抵抗器２４の電圧降下分も大きくなって行き、直流電圧計２２の表示電圧値は小さくなる。そして、その電圧値が、上記信号機４のみを駆動するために必要な定格電圧値と、ケーブル５の抵抗によって降下する電圧値とを足し合わせた電圧値以下になると、信号機４を駆動することができなくなり、即ち、信号機４に定格電流を流せなくなり、交流電流計２３の表示電流値が、それまで表示していた定格電流値から減少して行く。
【００２５】
この電流値が減少し始める前近傍の電圧値、即ち、定格電流を流すことができる最小電圧値が、ケーブル５の接続された信号機４を駆動するために必要な供給電圧となる。そして、信号機４に接続されるケーブル５の長さによってケーブル５の抵抗による電圧降下分が相違するので、ケーブル５の長さに応じて必要な供給電圧も相違する。これらの電流値および電圧値は、回線電流の表示部１３および送り電圧の表示部１２に表示されるので、測定者は、この定格電流を流すことができる最小電圧値を測定する。測定した電圧値以上の近い電圧値を出力することができる信号灯トランス２のタップがその信号機４のケーブル５を接続するタップとして選択・決定される。
【００２６】
上記設定方法の手順では、可変抵抗器２４の抵抗値を初めに小さい値にしておき、電圧調整ダイアル１４を徐々に回転させてその抵抗値を大きくしていったが、これとは逆に、可変抵抗器２４の抵抗値を初めに大きい値にしておき、電圧調整ダイアル１４によりその抵抗値を徐々に小さくしていく手順であってもよい。
【００２７】
つまり、可変抵抗器２４の抵抗値が、初めに大きい値に設定されているため、その抵抗による可変抵抗器２４の電圧降下分は大きい。従って、直流電圧計２２には、入力部８と８'間に加えられた電圧から大きく降下した電圧値が表示される。
そして、この電圧値がケーブル５に接続された信号機４を駆動するために必要な電圧値以下であれば、即ち、ケーブル５の接続されていない各信号灯４ａ、４ｂ、４ｃのみを駆動するために必要な定格電圧値と、ケーブル５の有する抵抗によって降下する電圧値とを足し合わせた電圧値以下であれば、信号機４は駆動せず点灯しない。また、直流電圧計２２の表示電圧が、上記足し合わせた電圧値以下である場合には、各信号灯４ａ、４ｂ、４ｃに定格電流を流すことができず、交流電流計２３には各信号灯４ａ、４ｂ、４ｃの定格電流値以下の電流値が表示される。
【００２８】
電圧調整ダイアル１４を回転させ可変抵抗器２４の抵抗値を徐々に小さくしていくと、その抵抗による電圧降下分も小さくなって行き、直流電圧計２２の表示電圧値は大きくなる。また、交流電流計２３に流れる電流値も徐々に大きくなって行く。そして、その電圧値が、上記各信号灯４ａ、４ｂ、４ｃのみを駆動するために必要な定格電圧値と、ケーブル５の抵抗によって降下する電圧値とを足し合わせた電圧値以上になると、信号機４を駆動することができるようになり、即ち、各信号灯４ａ、４ｂ、４ｃに定格電流を流せるようになり、交流電流計２３の表示電流値が、定格電流値まで達し安定する。
【００２９】
この電流値が各信号灯４ａ、４ｂ、４ｃの定格電流値に達したときの電圧値が、ケーブル５の接続された信号機４を駆動するために必要な供給電圧となる。そして、信号機４に接続されるケーブル５の長さによってケーブル５の抵抗による電圧降下分が相違するので、ケーブル５の長さに応じて必要な供給電圧も相違する。これらの電流値および電圧値は、回線電流の表示部１３および送り電圧の表示部１２に表示されるので、測定者は、この定格電流を流すことができる電圧値を測定する。測定した電圧値以上の近い電圧値を出力することができる信号灯トランス２のタップがその信号機４のケーブル５が接続されるタップとして選択・決定される。
【実施例】
【００３０】
具体的な数値を使用した設定方法の一形態を説明すると以下のようになる。
機器室には、３０Ｖ〜５５までの電圧を２Ｖ毎に出力する複数のタップ有した信号灯トランス２を設置する。電圧設定装置３の入力部８、８'に、信号灯トランス２の最大の出力電圧である５５Ｖを出力するタップをケーブル線６を介して接続する。また、出力部９、９'には、遠隔地に設置されたＬＥＤ信号機４のケーブル５'の端部を接続する。なお、ケーブル抵抗は１８〜２０［Ω／Ｋｍ］であり、各ＬＥＤ信号灯４ａ、４ｂ、４ｃの定格値は「３０Ｖ、０.６Ａ」である。
【００３１】
可変抵抗器２４の抵抗値は、初めに小さい値に設定されているため、直流電圧計２２には、入力部８と８'間に加えられた電圧と略同じ電圧値である５５Ｖが表示される。この電圧値（５５Ｖ）が、ケーブル５'に接続されたＬＥＤ信号機４を駆動するために必要な電圧値以上、即ち、各ＬＥＤ信号灯４ａ、４ｂ、または４ｃのみを駆動するために必要な定格電圧値（３０［Ｖ］）と、ケーブル５'の抵抗によって降下する電圧値（ケーブルの長さによって相違する電圧値）とを足し合わせた電圧値以上であれば、ＬＥＤ信号機４は駆動し点灯する。また、この電圧値が上記足し合わせた電圧値以上であれば、交流電流計２３、即ち、回線電流の表示部１３には、各信号灯４ａ、４ｂ、４ｃの定格電流値である６００ｍＡが表示される。
【００３２】
なお、この足し合わせた電圧値は、機器室１からＬＥＤ信号機４までの距離、ケーブル抵抗（１８〜２０［Ω／Ｋｍ］）、および各ＬＥＤ信号灯４ａ、４ｂ、４ｃの定格値（「３０Ｖ、０.６Ａ」）から、おおよその値を予測できるものであり、ここでは直流電圧計２２に表示された上記電圧値５５［Ｖ］は、ＬＥＤ信号機４を駆動できる電圧であるとする。
【００３３】
電圧調整ダイアル１４を回転させ可変抵抗器２４の抵抗値を徐々に大きくしていくと、その抵抗による可変抵抗器２４の電圧降下分も大きくなって行き、直流電圧計２２の表示電圧値は小さくなる。例えば、可変抵抗器２４の抵抗値が２０［Ω］になると、その抵抗による電圧降下は、０.６［Ａ］×２０［Ω］＝１２［Ｖ］となり、このときの直流電圧計２４の電圧値は、５５−１２＝４３［Ｖ］になる。
【００３４】
そして、この直流電圧計２２の表示電圧値が、ケーブル５'に接続されたＬＥＤ信号機４を駆動するために必要な電圧値以下になると、ＬＥＤ信号機４を駆動することができなくなり、各ＬＥＤ信号灯４ａ、４ｂ、４ｃに定格電流を流せなくなって、交流電流計２３の表示電流値は、定格電流値（６００ｍＡ）から減少して行く。この電流値が減少し始める前の電圧値が、ケーブル５'の接続されたＬＥＤ信号機４を駆動するための適切な供給電圧となる。測定者は、送り電圧の表示部１２と回線電流の表示部１３を見ながらこの電圧値を測定する。そして、ＬＥＤ信号機４のケーブル５'を接続するタップとして、測定した電圧値以上の近い電圧値を出力する信号灯トランス２のタップを選択・決定する。
【図面の簡単な説明】
【００３５】
【図１】本発明に係る電圧設定装置を使用して、信号機を駆動するためのトランスの出力電圧を設定するようすを模式的に表わした図である。
【図２】本発明に係る電圧設定装置の一形態を示す図である。
【図３】本発明に係る電圧設定装置の回路構成図の一形態を示す図である。
【符号の説明】
【００３６】
１  機器室
２  信号灯トランス
３  電圧設定装置
４  信号機
５  ケーブル
８  入力部
９  出力部
１２  （送り電圧）表示部
１３  （回線電流）表示部
１４  電圧調整ダイアル
２２  直流電圧計
２３  交流電流計
２４  可変抵抗器
【図１】
2005231559.tif 000003
【図２】
2005231559.tif 000004
【図３】
2005231559.tif 000005